(57)【特許請求の範囲】
【請求項１】
下枠補助材と新設下枠とを備え、下枠補助材は、室外側レールを切除した既設下枠の室内側上部に取付けてあるとともにアングル部と係合部とを有し、アングル部は、躯体開口部の内周側にねじ止めされるものであり、アングル部には既設下枠の室内側壁よりも室外側の位置に結露水を既設下枠の上面に流下する排水口が設けてあり、係合部はアングル部よりも下方に位置するものであり、新設下枠は、室内側に被係合部を有し、被係合部を下枠補助材の係合部に上方から係合してあり、且つ室外側下部を既設下枠に室内外方向からネジ止めしてあることを特徴とする改装サッシ。
【発明の詳細な説明】
【技術分野】
【０００１】
本発明は、既設枠の内側に新設枠を取付けて窓を改装する改装サッシに関する。
【背景技術】
【０００２】
従来の改装サッシとして特許文献１には、既設下枠の室内側案内レールに取付け補助材をネジ止めすると共に、既設下枠の室外側案内レールを切断して撤去しておき、既設枠の内側に新設枠を室外側から嵌め込み、新設下枠の室内側上部を取付け補助材に上方からネジ止めし、新設下枠の室外側下部を既設下枠に室外側からネジ止めするものが記載されている。この改装サッシでは、新設枠を既設枠内に取付ける際、新設下枠が取付け補助材の上に単に乗っかるだけなので新設下枠が室外側にずれるおそれがあり、且つ新設下枠は内周側と室外側の二方向からネジ止めしなければならないため、新設枠の取付けが容易ではなかった。
また、特許文献２記載の改装サッシは、既設下枠の室内側上部に、上方に突出する下枠固定材をネジ止めし、下枠固定材の室外側面に設けた上向き凹部に新設下枠の室内側上部を係止することで、新設枠の設置が容易に行えるようにしている。しかしこの改装サッシでは、下枠固定材が既設下枠から上方に突出し、下枠固定材の上向き凹部に新設下枠を載置するので、新設下枠が既設下枠よりもかなり高い位置に位置することとなるため、窓の開口面積が改装前よりも狭くなる不都合がある。
また、従来のサッシにおいては、下枠のアングルに結露が発生しやすく、結露水をときおり雑巾などで拭き取る必要がある。特許文献３に記載されているように、下枠の障子が走行する溝部に排水器を設け、下枠の溝部内に溜まった雨水や結露水を屋外に排水できるようにしたものはあるが、下枠のアングル上に溜まった結露水を排水できるものはなかった。
【特許文献１】特開２００３−３２８６４６号公報
【特許文献２】特開平１０−６１３２８号公報
【特許文献３】特開２００２−１８０７５１号公報
【発明の開示】
【発明が解決しようとする課題】
【０００３】
本発明は以上に述べた実情に鑑み、新設枠の取付けが容易に行え、広い開口面積を確保でき、尚且つ下枠のアングルの結露水を室外に排水できる改装サッシの提供を目的とする。
【課題を解決するための手段】
【０００４】
上記の課題を達成するために本発明の改装サッシは、下枠補助材と新設下枠とを備え、下枠補助材は、室外側レールを切除した既設下枠の室内側上部に取付けてあるとともにアングル部と係合部とを有し、アングル部は、躯体開口部の内周側にねじ止めされるものであり、アングル部には既設下枠の室内側壁よりも室外側の位置に結露水を既設下枠の上面に流下する排水口が設けてあり、係合部はアングル部よりも下方に位置するものであり、新設下枠は、室内側に被係合部を有し、被係合部を下枠補助材の係合部に上方から係合してあり、且つ室外側下部を既設下枠に室内外方向からネジ止めしてあることを特徴とする。
【発明の効果】
【０００５】
本発明の改装サッシは、新設枠を既設枠の内側に取付ける際、新設下枠室内側に設けた被係合部を下枠補助材の係合部に上方から係合することで、新設枠の重量が支えられるとともに新設下枠が位置決めされ、且つ新設下枠は室外側下部を室内外方向から既設下枠にネジ止めするだけで固定できるため、新設枠の取付けが容易に行える。また、既設下枠の室外側レールが切除してあって、下枠補助材のアングル部を躯体開口部の内周側にねじ止めし、下枠補助材の係合部がアングル部よりも下方に位置していることで、新設下枠を既設下枠に近付けて低い位置に配置できるので、広い開口面積を確保できる。さらに、下枠補助材にアングル部を有し、アングル部には既設下枠の室内側壁よりも室外側の位置に結露水を既設下枠の上面に流下する排水口が設けてあるので、アングル部に結露が生じても結露水を排水口から既設下枠の上面を伝って室外に排水できる。
【発明を実施するための最良の形態】
【０００６】
以下、本発明の実施の形態を図面に基づいて説明する。図１は、本発明の一実施形態に係る改装サッシの窓枠の縦断面図であり、図２は、同じく改装サッシの窓枠の横断面図である。この改装サッシは、建物の躯体開口部８に既に取付けられている窓枠（既設枠９）をそのまま残して、既設枠９の内側に室外側から新しい窓枠（新設枠１０）を嵌め込んで新設枠１０を既設枠９にネジで固定し、新設枠１０に新しい障子１１ａ，１１ｂを取付けて窓を改装するものである。既設枠９は、既設下枠１と既設上枠１２と左右の既設竪枠１３，１３を四方枠組みして構成してあり、各枠材１，１２，１３は躯体１４にネジ１５で固定してある。新設枠１０は、新設下枠３と新設上枠１６と左右の新設竪枠１７，１７を四方枠組みして構成してある。既設枠９と新設枠１０は、いずれも引き違い窓用の窓枠となっている。
【０００７】
下枠部は、図１に示すように、既設下枠１と、下枠補助材２と、新設下枠３とで構成される。既設下枠１は、上面１８が室外側に向って下方に傾斜し、上面１８から室内側レール１９と室外側レール２０とが上方に突出して設けてあり、室外側レール２０は、新設下枠３を取付けるために根元付近から切断して切除してある。室内側レール１９は、図５に示すように、雨水や結露水を排水するために左右の端部が切除されている。
下枠補助材２は、既設下枠１のアングル２１上に重なり且つ既設下枠１の室内側壁２２よりも室外側まで突出するアングル部４と、アングル部４の室外側の下方に位置し既設下枠１の室内側壁２２の室外側面に当接する当接部２３と、当接部２３の下端より室外側に突出し先端が上向きに鉤状に曲がった係合部５とを有し、アングル部４に内周側から挿通するネジ２４ａと当接部２３に室外側から挿通したネジ２４ｂとで既設下枠１の室内側上部の内周側に取付けている。アングル部４の室外側端部にはタイト材７１が取付けてあり、タイト材７１は新設下枠３の室内側壁２７の上部室内側面に当接している。なお下枠補助材２は、一体に長く形成し、既設下枠１の長手方向の略全長に亘って取付けている。
新設下枠３は、見込壁２５ａ，２５ｂが上下二段に階段状に形成され、室内側上方の見込壁２５ａから室内側レール２６ａが上方に突出し、室外側下方の見込壁２５ｂから室外側レール２６ｂが上方に突出している。室内側壁２７の室内側面には、下向きに鉤状に曲がった被係合部６を有しており、被係合部６を下枠補助材２の係合部５に上方から係合している。また、新設下枠３の室外側下部には、室内側に向けてＬ字形に曲がった取付部２８を有し、取付部２８の先端を既設下枠１の見付壁２９に当接し、室外側から挿通したネジ３０で見付壁２９に固定している。取付部２８の横壁の左右両端部には長孔状の排水孔３１が設けてある。さらに新設下枠３は、室内側の下部に既設下枠１の室内側レール１９を逃がすための逃がし部３２を有している。
既設下枠１、下枠補助材２、新設下枠３は、いずれもアルミニウム合金の押出形材で形成してある。  
【０００８】
下枠補助材２のアングル部４は、図１に示すように、室内側端部にネジ止め部を有し、ネジ止め部の室外側に上面が２ｍｍ程度低くなった結露水受け溝３３が形成してあり、結露水受け溝３３を貫通して排水弁７が既設下枠１の室内側壁２２と新設下枠３の室内側壁２７の間の位置に取付けてある。排水弁７は、図２に示すように、下枠補助材２の左右の端部２箇所に設けてある。排水弁７は、図６に示すように、結露水受け溝３３よりも上側の左右両側に集水口３４，３４を、結露水受け溝３３よりも下側の左右両側に排水口３５，３５を有し、両排水口を塞ぐように細い羽根状の弁体３６，３６が取付けてある。各弁体３６は、上部を室内外方向のピン３７で回動自在に軸着してあり、通常は、図６（ａ）に示すように、自重で下に下がり排水口３５を塞ぐため、風雨が室内側に逆流するのを阻止し、図６（ｂ）に示すように、結露水受け溝３３上に結露水７２が溜まると、結露水７２は集水口３４から排水弁７内に流れ込み、弁体３６，３６が水圧により外側に回動して開き、排水口３５，３５から結露水７２が下方に排水される。下枠補助材２は、排水弁７の下側の部分に切除部３８を設けてあり、排水口３５，３５から落下した結露水７２は、当接部２３と係合部５の間の溝３９内にいったん溜まり、図５中に矢印で示すように、下枠補助材２の左右両端部から既設下枠１の傾斜した上面１８に落ち、上面１８を伝って室外側に流れ、最終的には新設下枠３の室外側下部に設けた排水孔３１から室外に排水される。
【０００９】
上枠部は、図１に示すように、既設上枠１２と、上枠補助材４０と、新設上枠１６と、上カバー受け材４１と、上カバー４２とで構成される。上枠補助材４０は、室内側と室外側に外周側に突出して形成した取付片４３ａ，４３ｂを、室内側と室外側からネジ４４ａ，４４ｂで既設上枠１２の見付壁にネジ止めして、既設上枠１２の内周側に取付けている。
新設上枠１６は、断面コ字形に形成した上枠本体部４５内の室内側に内障子１１ａ用の案内溝４６を有し、上枠本体部４５内の室外側に外障子１１ｂ用のレール４７を有している。上枠本体部４５の室外側端部上面側にはタイト材４８が取付けてあり、タイト材４８が躯体との隙間を塞いでいる。タイト材４８を保持しているタイト材ホルダー４９の室内側面は、上枠補助材４０の室外側端部に当接している。上枠本体部４５上部の室内側には、先端が内周側に向けてＬ字形に曲がった取付部５０が、室内側に突出して形成してあり、取付部５０に内周側から挿通したネジ５１で新設上枠１６を上枠補助材４０にネジ止めしている。新設上枠１６と上枠補助材４０との間の隙間には、複数枚のスペーサー５２が重ねて配置してある。
上カバー受け材４１は、新設上枠１６の取付部５０に室内側からネジ５３でネジ止めして取付けてあり、室内側に上カバー４２との係合片５４，５４を有し、室外側端部にタイト材５５が取付けてあり、タイト材５５は新設上枠１６の上枠本体部４５の室内側面に当接している。
上カバー４２は、上カバー受け材４１の室内側に係合して取付けられ、既設上枠１２、上枠補助材４０、上枠補助材４０と上カバー受け材４１を取付けているネジ４４ａ，５３、及び既設上枠１２を躯体１４に取付けているネジ１５が室内側から見えないように隠蔽している。また上カバー４２は、外周側端部にタイト材５６が取付けてあり、タイト材５６が躯体１４との隙間を塞いでいる。
既設上枠１２、上枠補助材４０、新設上枠１６は、アルミニウム合金の押出形材で形成してあり、上カバー受け材４１、上カバー４２は、合成樹脂の押出形材で形成してある。
【００１０】
竪枠部は、図２に示すように、既設竪枠１３と、竪枠補助材５７と、新設竪枠１７と、竪カバー受け材５８と、竪カバー６７とで構成される。竪枠補助材５７は、室内側と室外側に外周側に突出して形成した取付片５９ａ，５９ｂを、室内側と室外側からネジ６０ａ，６０ｂで既設竪枠１３の見付壁にネジ止めして、既設竪枠１３の内周側に取付けている。
新設竪枠１７は、竪枠本体部６１の室内側に、先端が内周側に向けてＬ字形に曲がった取付部６５が室内側に突出して形成してあり、取付部６５に内周側から挿通したネジ６２で新設竪枠１７を竪枠補助材５７にネジ止めしている。新設竪枠１７と竪枠補助材５７との間の隙間には、複数枚のスペーサー６３が重ねて配置してある。竪枠本体部６１の室外側端部外周側にはタイト材６４が取付けてあり、タイト材６４が躯体との隙間を塞いでいる。
竪カバー受け材５８は、新設竪枠１７の取付部６５に室内側からネジ６６でネジ止めして取付けてあり、室内側に竪カバー６７との係合片６８，６８を有し、室外側端部にタイト材６９が取付けてあり、タイト材６９は新設竪枠１７の竪枠本体部６１の室内側面に当接している。
竪カバー６７は、竪カバー受け材５８の室内側に係合して取付けられ、既設竪枠１３、竪枠補助材５７、竪枠補助材５７と竪カバー受け材５８を取付けているネジ６０ａ，６６、既設竪枠１３を躯体１４に取付けているネジ１５が室内側から見えないように隠蔽している。また竪カバー６７は、外周側端部にタイト材７０が取付けてあり、タイト材７０が躯体１４との隙間を塞いでいる。
既設竪枠１３、竪枠補助材５７、新設竪枠１７は、アルミニウム合金の押出形材で形成してあり、竪カバー受け材５８、竪カバー６７は、合成樹脂の押出形材で形成してある。
【００１１】
次に、本改装サッシの施工手順の一例を説明する。まず、新設枠１０を取付ける準備として、既設下枠１の室外側レール２０を切除し、既設下枠１の内周側に下枠補助材２をネジ２４ａ，２４ｂで取付け、既設上枠１２の内周側に上枠補助材４０をネジ４４ａ，４４ｂで取付け、左右の既設竪枠１３の内周側に竪枠補助材５７をネジ６０ａ，６０ｂで取付けておく。次に、新設下枠３と新設上枠１６と左右の新設竪枠１７，１７を四方枠組みし、新設枠１０を形成する。
次に、既設枠９の内側に新設枠１０を室外側から嵌め込む。このとき、図３に示すように、新設下枠３の室内側に設けた被係合部６を下枠補助材２の係合部５に上方から係合することで、新設枠１０の重量が下枠補助材２に支えられると共に、新設下枠３が上下方向、室内外方向に位置決めされる。その後、新設上枠１６を上枠補助材４０の室外側端部に突き当てた後、図４に示すように、上枠補助材４０と新設上枠１６との間の隙間にスペーサー５２を差し込み、新設上枠１６を上枠補助材４０に内周側からネジ５１でネジ止めし、竪枠補助材５７と新設竪枠１７との隙間にスペーサー６３を差し込み、新設竪枠１７を竪枠補助材５７に内周側からネジ６２でネジ止めし、新設下枠３の室外側下部を室外側からネジ３０で既設下枠１にネジ止めすれば、新設枠１０が既設枠９に固定される。
次に、上カバー受け材４１の両端部に左右の竪カバー受け材５８，５８の上端部をネジ（図示省略）で連結し、カバー受け材４１，５８，５８を門形に枠組みする。次に、図４に示すように、新設上枠１６の室内側に上カバー受け材４１をネジ５３でネジ止めし、新設竪枠１７の室内側に竪カバー受け材５８をネジ６６でネジ止めする。その後、上カバー受け材４１の室内側に上カバー４２を係合取付けし、竪カバー受け材５８の室内側に竪カバー６７を係合取付けする。最後に、新設枠１０内に内障子１１ａと外障子１１ｂを建て込む。
【００１２】
本改装サッシは、以上に述べたように、既設枠９を取外すことなく、既設枠９の内側に新設枠１０を室外側から嵌め込んで固定することで、窓のリフォームを簡易に行える上、新設枠１０を既設枠９内に嵌め込む際、新設下枠３の室内側に設けた被係合部６を下枠補助材２の係合部５に係合することで、新設枠１０の取付けが容易に行える。また、下枠補助材２の係合部５がアングル部４よりも下方に位置しており、既設下枠１の室外側レール２０が切除してあるため、新設下枠３を既設下枠１に近付けて低い位置に配置できるので、広い開口面積を確保できる。さらに本改装サッシは、下枠補助材２のアングル部４に排水弁７が設けてあり、アングル部７に結露が発生すると、結露水は排水弁７から下枠内部に流れ込み、既設下枠の上面１８を伝って室外側に流れ、新設下枠３の室外側下部に設けた排水孔３１から室外に排水されるため、アングル部４の結露水を逐一雑巾などで拭き取らなくても、結露水によって床等が濡れることを防止できる。また本改装サッシは、新設上枠１６と新設竪枠１７の室内側に樹脂製のカバー４２，６７を取付けているので、既設枠９や、既設枠９と新設枠１０を取付けているネジ等がカバーによって隠蔽され、室内側の意匠性が向上すると共に、結露の発生を防止できる。カバー４２，６７は、カバー受け材４１，５８に係合により取付けるようにしたので、取付けが容易である。
【００１３】
本発明は以上に述べた実施形態に限定されるものではなく、本発明の要旨を逸脱しない範囲で種々変形可能である。窓枠の、引き違い障子を案内する部分等の構造、障子自体の構造は任意である。排水口の構造は、アングル部に形成した孔に、排水弁や、弁を有しない排水部材を取付けたものに限らず、アングル部に小さな孔を開けただけの構造であってもよい。既設下枠や新設下枠の形状は特に限定されないが、排水口からの結露水が下枠を伝って室外に排水できるようにしておく。下枠補助材、上枠補助材、竪枠補助材は、それぞれ一体に長く形成して既設枠材の内周側の略全長に亘って取付けてもよいが、適宜長さで複数に分割して形成し、既設枠材の長手方向に間隔をあけて取付けるようにしてもよい。
【図面の簡単な説明】
【００１４】
【図１】本発明の一実施形態に係る改装サッシの窓枠の縦断面図である。
【図２】本発明の一実施形態に係る改装サッシの窓枠の横断面図である。
【図３】新設枠を既設枠内に嵌め込むときの状態を示す縦断面図である。
【図４】上枠部を分解した状態で示す縦断面図である。
【図５】既設下枠と既設竪枠とのコーナー部を示す斜視図である。
【図６】（ａ）は、アングル部に結露が発生していない状態での排水弁周辺の正面図であり、（ｂ）は、アングル部に結露が発生した状態での排水弁周辺の正面図であり、（ｃ）は、下枠補助材と排水弁の側面図である。
【符号の説明】
【００１５】
１  既設下枠
２  下枠補助材
３  新設下枠
４  アングル部
５  係合部
６  被係合部
７  排水弁（排水口）
１８  既設下枠の上面
２０  既設下枠の室外側レール
２２  既設下枠の室内側壁
【図１】
0004822808.tif 000002
【図２】
0004822808.tif 000003
【図３】
0004822808.tif 000004
【図４】
0004822808.tif 000005
【図５】
0004822808.tif 000006
【図６】
0004822808.tif 000007